(57)【要約】【課題】棚を貯蔵室内から取り外したときの貯蔵室内の美観を向上させる。【解決手段】冷蔵庫１は、冷蔵庫本体３に設けられる貯蔵室５と、貯蔵室５の内部に取り外し可能に設けられる棚部材２５とを有する。棚部材２５は、棚部２９と脚部３１とを備える。棚部材２５の脚部３１の後端部には永久磁石３５が取り付けられている。貯蔵室５内の後壁３ｅの裏面には、永久磁石３５が吸着する鋼板３７が設けられている。棚部材２５を貯蔵室５内に設置したときに、永久磁石３５が後壁３ｅの裏側に設けてある鋼板３７に吸着する。【選択図】図１
2020112307.tif 000002
【特許請求の範囲】
【請求項１】
冷蔵庫本体に設けられる貯蔵室と、
前記貯蔵室の内部に取り外し可能に設けられる棚部材と、
前記棚部材を前記貯蔵室の内部に設置した状態で、前記貯蔵室内の後壁に対向する位置の前記棚部材に設けられた吸着部と、
前記貯蔵室内の前記後壁に設けられ、前記棚部材を前記貯蔵室の内部に設置した状態で、前記吸着部が吸着する貯蔵室側吸着部と、を有することを特徴とする冷蔵庫。
【請求項２】
前記貯蔵室側吸着部は、前記棚部材を前記貯蔵室の内部に設置した状態で、前記吸着部に対応する位置にのみ設けられていることを特徴とする請求項１に記載の冷蔵庫。
【請求項３】
前記貯蔵室側吸着部は、前記棚部材の前記貯蔵室の内部への複数の設置形態に応じて複数個所に設けられていることを特徴とする請求項２に記載の冷蔵庫。
【請求項４】
前記貯蔵室内の前記後壁の裏側に圧縮機が設置され、前記貯蔵室側吸着部は、金属で構成され、かつ、前記貯蔵室の正面から見て、前記圧縮機に対して前記後壁の面に沿う方向にずれた位置に設けられていることを特徴とする請求項３に記載の冷蔵庫。
【請求項５】
前記吸着部は、前記貯蔵室の正面から見て、前記棚部材の裏側に位置しており、前記正面からは見えない大きさに形成されていることを特徴とする請求項１ないし４のいずれか１項に記載の冷蔵庫。
【発明の詳細な説明】
【技術分野】
【０００１】
本発明は、貯蔵室の内部を区画する棚部材を備えた冷蔵庫に関する。
【背景技術】
【０００２】
貯蔵物を載せる棚部材を、貯蔵室内で取り外し可能とする冷蔵庫が特許文献１に記載されている。棚部材は、奥側の端部に爪を有する。一方、貯蔵室の奥側に位置するダクトカバーの前面には、貯蔵室側に突出する突起部が、棚部材を支持する支持部として設けられている。棚部材は、爪を突起部に係止することで、貯蔵室に取り付けられる。
【先行技術文献】
【特許文献】
【０００３】
【特許文献１】特開２００３−３３６９６２号公報
【発明の概要】
【発明が解決しようとする課題】
【０００４】
特許文献１の冷蔵庫は、棚を貯蔵室内から取り外した場合に、棚部材が取り付けられる突起部が、正面から見えることで、美観が損なわれている。
【０００５】
そこで本発明は、棚を貯蔵室内から取り外したときの貯蔵室内の美観を向上させることを目的としている。
【課題を解決するための手段】
【０００６】
本発明の実施の形態の冷蔵庫は、冷蔵庫本体に設けられる貯蔵室と、前記貯蔵室の内部に取り外し可能に設けられる棚部材と、前記棚部材を前記貯蔵室の内部に設置した状態で、前記貯蔵室内の後壁に対向する位置の前記棚部材に設けられた吸着部と、前記貯蔵室内の前記後壁に設けられ、前記棚部材を前記貯蔵室の内部に設置した状態で、前記吸着部が吸着する貯蔵室側吸着部と、を有する。
【図面の簡単な説明】
【０００７】
【図１】本発明の第１の実施形態に係わる冷蔵庫の扉を省略した斜視図である。
【図２】図１の冷蔵庫を図１とは異なる方向から見た斜視図である。
【図３】図１の冷蔵庫の正面図である。
【図４】図１〜３とは棚部材の設置形態が異なる場合の図１に対応する斜視図である。
【図５】図１〜３とは棚部材の設置形態が異なる場合の図２に対応する斜視図である。
【図６】図１〜３とは棚部材の設置形態が異なる場合の図３に対応する正面図である。
【図７】図１〜３に使用される棚部材の分解斜視図である。
【図８】図７に示す棚部材の永久磁石が取り付けられる部位周辺の斜視図である。
【図９】図８の裏側から見た斜視図である。
【図１０】図７に示す棚部材の右側から見た側面図である。
【図１１】図１のＡ部の拡大図である。
【図１２】図１１に対し永久磁石が図中で左側に位置している状態を示す拡大図である。
【図１３】図３、図６に対し棚部材を取り外した状態を示す正面図である。
【図１４】第２の実施形態に係わる棚部材を使用した冷蔵庫の図３に対応する正面図である。
【図１５】図１４の棚部材の分解斜視図である。
【図１６】第３の実施形態に係わる棚部材の斜視図である。
【図１７】図１６の棚部材の分解斜視図である。
【図１８】図１６のＢ−Ｂ断面図である。
【図１９】第４の実施形態に係わる棚部材を使用した冷蔵庫の図１に対応する斜視図である。
【発明を実施するための形態】
【０００８】
以下、本発明の実施の形態を図面に基づき説明する。なお、以下の説明において、冷蔵庫１における「左右方向」は、図３に示すように冷蔵庫１を正面から見たときの左右方向で、「前後方向」は、冷蔵庫１の前面側を前、後面側（奥側）を後とした前後方向である。
【０００９】
[第１の実施形態]
第１の実施形態の冷蔵庫１は、例えばホテルや病院などの部屋に設置される小型の冷蔵庫である。図１〜図３は、図１の冷蔵庫１の前面に設けてある扉を省略した内部構造を示している。冷蔵庫１は、冷蔵庫本体３を備え、冷蔵庫本体３の内部に貯蔵室５が形成されている。冷蔵庫本体３は、外側板からなる外箱７と、内側板からなる内箱９とを有し、外箱７と内箱９との間に図示しない断熱材を配置した断熱構造体である。扉も断熱構造体である。
【００１０】
貯蔵室５は、冷蔵庫１の前面側に開口部５ａが形成され、開口部５ａは扉によって開閉される。扉は、図１中で右側もしくは左側の端部のヒンジを介して左右に開閉する。冷蔵庫本体３は、上壁３ａと、下壁３ｂと、左側壁３ｃと、右側壁３ｄと、後壁３ｅとを備えており、これら各壁に囲まれた内側に貯蔵室５が形成される。上壁３ａ、下壁３ｂ、左側壁３ｃ、右側壁３ｄ、後壁３ｅは、外箱７、内箱９及び断熱材を含んでいる。
【００１１】
貯蔵室５内の上部に隔壁１０を介して冷却器１１が設けられる。隔壁１０は、冷却器１１側から流下する結露水を受けるもので、前方及び左右両側方から後方の左右方向中央に向けて下がるように傾斜している。隔壁１０が受けた結露水は、受皿１３に流下してから貯蔵室５の外部に排出される。冷却器１１は、上壁３ａ及び右側壁３ｄのそれぞれの内面に支持される。冷蔵庫１は、冷却器１１から発生する冷気を、貯蔵室５内で自然対流によって循環させる直冷式（自然対流式）である。隔壁１０の下方の空間が貯蔵室５となる。
【００１２】
図１、図２に示すように、冷蔵庫本体３は、後壁３ｅの下部において、前方に向けて膨出する膨出部１５が形成されている。膨出部１５は、下壁３ｂの後端から立ち上がる縦壁１５ａと、縦壁１５ａの上端から後方に向けて屈曲する水平な横壁１５ｂとを備える。縦壁１５ａと横壁１５ｂとの境界部には、傾斜壁１５ｃが形成されている。傾斜壁１５ｃは、縦壁１５ａ及び横壁１５ｂに対して略４５度の角度で傾斜している。膨出部１５は、図３に示すように貯蔵室５内において左右方向の全長にわたり設けられている。傾斜壁１５ｃは、膨出部１５の左右両端の一部を除いた部位に形成されている。
【００１３】
縦壁１５ａと横壁１５ｂとに囲まれた、冷蔵庫本体３の下部後方の外側の領域は、貯蔵室５の外部において図３に破線で示す機械室１７を構成している。機械室１７に圧縮機１９を配置している。圧縮機１９は、下壁３ｂの下面及び機械室１７を下方から覆っている底板２１の上に固定している。圧縮機１９で圧縮した冷媒は、機械室１７内に設けた図示しない凝縮器を経て、前述した冷却器１１に送られる。圧縮機１９、凝縮器及び冷却器１１等は図示しない冷媒配管で接続される。
【００１４】
図２、図３に示すように、右側壁３ｄの貯蔵室５の内面には右棚支持突起２３が形成されている。右棚支持突起２３は、左側壁３ｃに向けて突出した状態で前後方向に延在している。右棚支持突起２３は、横壁１５ｂの上面よりやや下側において、縦壁１５ａの前面から開口部５ａ付近まで形成されている。右棚支持突起２３の上に、図１〜図３に示すように、棚部材２５Ｒの右側の端部が載せられる。
【００１５】
左側壁３ｃの貯蔵室５の内面には左棚支持突起２７が形成されている。左棚支持突起２７は、貯蔵室５内において、右棚支持突起２３に対して左右対称位置で、かつ、右棚支持突起２３と同形状に形成されている。左棚支持突起２７には、図４〜図６に示すように、棚部材２５Ｒに対して左右対称形状の棚部材２５Ｌの左側の端部が載せられる。なお、棚部材２５Ｒ及び棚部材２５Ｌの同一構成部位には同一符号を付してある。
【００１６】
棚部材２５Ｒは、図７に示すように、貯蔵物が載せられる棚部２９と、棚部２９の左側の端部を下方から支持する脚部３１とを備えている。棚部２９と脚部３１とは、図１に示す設置状態に対して分解可能となっている。棚部２９は、左右方向に長い長方形の板状部材であり、複数の貫通孔２９ｈが形成されている。棚部２９の裏側（下側）における貫通孔２９ｈの周縁には、下方に突出する環状のリブ２９ｒが形成されている。貫通孔２９ｈには、冷却器１１から流下してくる冷気が通過する。
【００１７】
棚部２９は、周囲四辺において下方に向けて突出するフランジ２９ｆ（２９ｆ１、２９ｆ２、２９ｆ３、２９ｆ４）が形成されている。フランジ２９ｆ１は前側に位置し、フランジ２９ｆ２は後側に位置し、フランジ２９ｆ３は左側に位置し、フランジ２９ｆ４は右側に位置している。図７中で前側のフランジ２９ｆ１の後側には、フランジ２９ｆ１に対し間隔をおいて平行に延びる平行リブ２９ｓが形成されている。
【００１８】
平行リブ２９ｓの左側の端部には、フランジ２９ｆよりも内側位置で下方に向けて突出する係合突起２９ａが形成されている。フランジ２９ｆ２の左側の端部とフランジ２９ｆ３の奥側の端部とが接続される角部の内側には、下方に向けて突出する係合突起２９ｂが形成されている。
【００１９】
脚部３１は、上下方向に長い長方形の板状部材であり、下部を除く周囲三辺に右側に向けて突出するフランジ３１ｆ（３１ｆ１、３１ｆ２、３１ｆ３）が形成されている。フランジ３１ｆ１は前側に位置し、フランジ３１ｆ２は後側に位置し、フランジ３１ｆ３は上側に位置している。上側のフランジ３１ｆ３の前後両端付近には係合孔３１ａ，３１ｂが形成されている。係合孔３１ａ，３１ｂに棚部２９の係合突起２９ａ，２９ｂを挿入して係合させることで、図１〜図３に示すようなＬ字形状の棚部材２５Ｒが組み立てられる。
【００２０】
脚部３１は、後側のフランジ３１ｆ２の前側に、フランジ３１ｆ２に対し間隔をおいて平行に延びる平行リブ３１ｓが形成されている。フランジ３１ｆ２及び平行リブ３１ｓの上下方向中央よりやや上側に、磁石取付け部３３が形成されている。磁石取付け部３３に吸着部としての永久磁石３５が取り付けられる。磁石取付け部３３は、上下方向に間隔をあけて二つの仕切壁３３ａ，３３ｂを備えている。仕切壁３３ａ，３３ｂは、フランジ３１ｆ２と平行リブ３１ｓとを接続している。仕切壁３３ａ，３３ｂ相互間が永久磁石３５を収容配置する磁石収容空間３４となる。
【００２１】
磁石収容空間３４におけるフランジ３１ｆ２には、上下方向に長い長方形状の磁石露出孔３３ｃが形成されている。磁石露出孔３３ｃは、上側の仕切壁３３ａより下方に位置し、下側の仕切壁３３ｂよりも上方に位置している。したがって、上側の仕切壁３３ａと磁石露出孔３３ｃとの間、及び、下側の仕切壁３３ｂと磁石露出孔３３ｃとの間には、フランジ３１ｆ２による係止壁３３ｄ，３３ｅがそれぞれ形成される。
【００２２】
磁石収容空間３４における平行リブ３１ｓには、上下二つの支持突起３３ｆ，３３ｇが互いに間隔をあけて形成されている。二つの支持突起３３ｆ，３３ｇは、平行リブ３１ｓから磁石露出孔３３ｃに向けて突出している。上下二つの仕切壁３３ａ，３３ｂ相互間において、支持突起３３ｆ，３３ｇと磁石露出孔３３ｃとの間に、図８に示すように永久磁石３５が配置される。
【００２３】
永久磁石３５は、上下方向に長い略直方体形状の磁石本体部３５ａを備えている。永久磁石３５は、磁石本体部３５ａの平行リブ３１ｓ側の上端から、上側係止凸部３５ｂが上方に向けて突出し、磁石本体部３５ａの平行リブ３１ｓ側の下端から、下側係止凸部３５ｃが下方に向けて突出している。
【００２４】
磁石本体部３５ａは、上下方向の長さが磁石露出孔３３ｃの上下方向の長さよりも短く、左右方向の長さが磁石露出孔３３ｃの左右方向の長さよりも短い。このため、磁石本体部３５ａは、磁石露出孔３３ｃに挿入可能である。磁石本体部３５ａを磁石露出孔３３ｃに挿入した状態では、磁石本体部３５ａの下端が磁石露出孔３３ｃの下端に略当接し、下側係止凸部３５ｃの下端が仕切壁３３ｂに略当接する。
【００２５】
図８に示す状態で、磁石本体部３５ａの上端と磁石露出孔３３ｃの上端との間に隙間３３ｃ１が形成される。このとき、上側係止凸部３５ｂと上側の仕切壁３３ａとの間にも隙間３４ａが形成される。隙間３３ｃ１と隙間３４ａの上下方向の間隔は、略同等である。
【００２６】
図１０は、棚部材２５Ｒを組み立てた状態で右側から見た図であり、図１１は図１０のＡ部の拡大図である。図１０及び図１１は、磁石本体部３５ａの先端側（図１１中で右側）の略半分程度が磁石露出孔３３ｃに入り込み、磁石本体部３５ａの端面３５ａ１が、フランジ３１ｆ２の外端面３１ｆ２１と同一面となった状態である。端面３５ａ１と外端面３１ｆ２１とが同一面となった状態は、永久磁石３５が、図３に破線で示す鋼板３７に吸着した状態に相当する。鋼板３７は磁性体で構成されている。
【００２７】
永久磁石３５は、鋼板３７に吸着した状態で、図１１に示すように、支持突起３３ｆ，３３ｇに対して離間している。このとき、上側係止凸部３５ｂ及び下側係止凸部３５ｃは、係止壁３３ｄ，３３ｅに対してそれぞれ離間している。すなわち、永久磁石３５は、上側係止凸部３５ｂ及び下側係止凸部３５ｃから図１１中で右方向に突出した部分の磁石本体部３５ａの前後方向（図１１中で左右方向）の厚さが、フランジ３１ｆ２の厚さよりも厚い。
【００２８】
図１２は、永久磁石３５が支持突起３３ｆ，３３ｇに当接した状態を示している。このとき、磁石本体部３５ａの端面３５ａ１は、フランジ３１ｆ２の磁石収容空間３４側の内端面３１ｆ２２よりも外端面３１ｆ２１側に位置している。これにより、永久磁石３５は、磁石収容空間３４に収容配置した状態で、磁石収容空間３４から外れないようにしている。永久磁石３５を磁石収容空間３４に収容配置する際には、図７の状態から支持突起３３ｆ，３３ｇとフランジ３１ｆ２との間に押し込み、フランジ３１ｆ２が支持突起３３ｆ，３３ｇから離れる方向に弾性変形させる。
【００２９】
図３に示す鋼板３７は、貯蔵室側吸着部を構成している。鋼板３７は、外箱７と内箱９との間に充填される断熱材と、内箱９との間に挟持されるようにして設けられている。鋼板３７は、図３に示すように、貯蔵室５における左右方向の中央に位置し、棚部材２５Ｒを貯蔵室５の内部に設置した状態で、左側の端部３７ａが脚部３１の磁石取付け部３３に対応する位置にある。鋼板３７は、図３に示すように、冷蔵庫１を正面から見て、圧縮機１９に対し後壁３ｅの表面に沿う方向にずれた位置にあり、圧縮機１９と重ならない位置に設けられている。
【００３０】
棚部材２５Ｒを貯蔵室５の内部に設置する際には、図３に示すように、棚部２９の右側の端部を右棚支持突起２３の上に載せ、永久磁石３５を鋼板３７の左側の端部３７ａに吸着させる。このとき、永久磁石３５と鋼板３７との間に内箱９が挟まれた状態となる。したがって、永久磁石３５は、内箱９を間にした状態で鋼板３７に吸着可能な磁力が必要である。棚部２９は、膨出部１５の横壁１５ｂと略同一面の水平となり、脚部３１は、膨出部１５の後壁３ｅに対して略直角の鉛直状態となる。脚部３１の下端は、下壁３ｂの上面に当接する。棚部２９の後端と傾斜壁１５ｃとの間には隙間が形成され、当該隙間には、冷却器１１から流下してくる冷気が傾斜壁１５ｃにガイドされて通過する。
【００３１】
図４〜図６は、棚部材２５Ｌを、左棚支持突起２７を利用して貯蔵室５の内部に設置する例を示している。このとき、棚部材２５Ｌの棚部２９は、左側の端部が左棚支持突起２７の上に載せられ、永久磁石３５は、鋼板３７の右側の端部３７ｂに吸着する。このとき棚部２９は、膨出部１５の横壁１５ｂと略同一面の水平となり、脚部３１は鋼板３７に対して直角の鉛直状態となる。脚部３１の下端は、下壁３ｂの上面に当接する。棚部２９の後端と傾斜壁１５ｃとの間には隙間が形成され、当該隙間には、冷却器１１から流下してくる冷気が傾斜壁１５ｃにガイドされて通過する。
【００３２】
なお、図１〜図３で使用した棚部材２５Ｒを、図４〜図６で使用した棚部材２５Ｌのように、貯蔵室５の左側に設置することもできる。この場合、棚部材２５Ｒの棚部２９の前後及び左右がそれぞれ逆となるようにする。このとき棚部２９は、図７中で手前側のフランジ２９ｆ１が奥側に位置し、図７中で奥側のフランジ２９ｆ２が手前側に位置する。さらに、図７中で左側のフランジ２９ｆ３が右側に位置し、図７中で右側のフランジ２９ｆ４が左側に位置する。脚部３１の向きは、図１〜図３と同様である。この状態で、図７中で右側となるフランジ２９ｆ３側に位置する係合突起２９ａ，２９ｂを、脚部３１の係合孔３１ｂ，３１ａにそれぞれ挿入して係合させる。
【００３３】
これにより、貯蔵室５の左側に設置する際の棚部材２５Ｒは、図４〜図６に示した棚部材２５Ｌと同様に、脚部３１が棚部２９の右側の端部に取り付けられた状態で組み立てられる。このとき、棚部２９のフランジ２９ｆ４を備える側の端部が、左側壁３ｃの左棚支持突起２７に載せられる。脚部３１については、図１に示す脚部３１と同じ向きで、永久磁石３５が鋼板３７の右側の端部３７ｂに吸着する。したがって、この場合には、一種の棚部材２５Ｒを利用して、貯蔵室５の右側または左側に設置することができる。
【００３４】
また、棚部材２５Ｒ、２５Ｌの棚部２９に、後述する図１５の棚部材２５Ａの棚部２９Ａのように、係合突起を、棚部２９の左側の前後角部に二つ、右側の前後角部にも二つ、全部で四つ設けることで、棚部２９を左右逆にすることなく、そのままの姿勢で貯蔵室５の右側または左側にそれぞれ設置することができる。なお、この場合、係合突起が右棚支持突起２３または左棚支持突起２７に干渉しないように、各部の形状を考慮する必要がある。
【００３５】
次に、本実施形態の作用効果を説明する。
【００３６】
本実施形態の冷蔵庫１は、冷蔵庫本体３に設けられる貯蔵室５と、貯蔵室５の内部に取り外し可能に設けられる棚部材２５（２５Ｒ，２５Ｌ）とを備える。当該冷蔵庫１は、棚部材２５を貯蔵室５の内部に設置した状態で、貯蔵室５内の後壁３ｅに対向する位置の棚部材２５に設けられた永久磁石３５と、後壁３ｅに設けられ、棚部材２５を貯蔵室５の内部に設置した状態で、永久磁石３５が吸着する鋼板３７とを有する。
【００３７】
この場合、棚部材２５を貯蔵室５内から取り外した場合には、図１３に示すように、正面から見て後壁３ｅには、棚部材２５を支持する突起部等の支持部が設けられていない。したがって、棚部材２５を貯蔵室５内から取り外した場合の美観が向上する。
【００３８】
本実施形態は、鋼板３７は、棚部材２５を貯蔵室５の内部に設置した状態で、永久磁石３５に対応する位置にのみ設けられている。これにより、棚部材２５の正規の設置位置以外の位置で永久磁石３５が吸着することによる誤設置を抑制できる。
【００３９】
本実施形態は、鋼板３７は、棚部材２５の貯蔵室５の内部への複数の設置形態に応じて、複数個所、すなわち左側の端部３７ａと右側の端部３７ｂに、永久磁石３５が吸着する部位が設けられている。これにより、棚部材２５を、図１〜図３のように貯蔵室５の右側に設置する場合と、図４〜図６のように貯蔵室５の左側に設置する場合とに対応でき、汎用性が高まる。なお、鋼板３７は、左側の端部３７ａを構成する部分と、右側の端部３７ｂを構成する部分とに分割して二つの部材としてもよい。
【００４０】
本実施形態は、貯蔵室５内の後壁３ｅの裏側に圧縮機１９が設置されている。鋼板３７は、金属で構成され、かつ、貯蔵室５の正面から見て、圧縮機１９に対して後壁３ｅの面に沿う方向にずれた位置に設けられている。圧縮機１９は、作動時に熱が発生するため、熱伝導効率の高い鋼板３７に対してずれた位置とすることで、圧縮機１９から鋼板３７への熱伝導量を極力少なくし、圧縮機１９による貯蔵室５内への熱の影響を抑制する。
【００４１】
本実施形態は、永久磁石３５は、貯蔵室５の正面から見て、棚部材２５の裏側に位置しており、正面からは見えない大きさに形成されている。これにより、棚部材２５を永久磁石３５を用いて設置する際に、正面からの美観が向上する。
【００４２】
なお、鋼板３７は、後壁３ｅにおける内箱９の裏側に位置して正面からは見えないが、鋼板３７が位置する内箱９の貯蔵室５側の前面に、何等かの印を付けて、使用者に鋼板３７の位置を目視できるようにしてもよい。
【００４３】
[第２の実施形態]
第２の実施形態を図１４、図１５に示す。第２の実施形態は、棚部材２５Ａが２本の脚部３１Ａ１，３１Ａ２を備える。図中で左側の脚部３１Ａ１は、図１〜図３で使用した脚部３１と同じものを使用している。図中で右側の脚部３１Ａ２は、図４〜図６で使用した脚部３１と同じものを使用している。すなわち、脚部３１Ａ１と脚部３１Ａ２とは左右対称形状である。脚部３１Ａ１，３１Ａ２のいずれについても、脚部３１と同一構成部分には同一符号を付してある。
【００４４】
棚部２９Ａは、左側の前後角部に設けてある係合突起２９ａ，２９ｂに加え、右側の前後角部にも係合突起２９ａ，２９ｂと同様な係合突起２９ｃ，２９ｅが、下方に向けて突出して形成されている。すなわち、棚部２９Ａは、四つの係合突起２９ａ，２９ｂ，２９ｃ，２９ｅを備えている。棚部２９Ａのその他の構成は、左右方向の長さが異なることを除き、第１の実施形態と略同様であり、同一構成部分には同一符号を付してある。
【００４５】
四つの係合突起２９ａ，２９ｂ，２９ｃ，２９ｅのうち、左側の二つの係合突起２９ａ，２９ｂは、第１の実施形態と同様に、脚部３１Ａ１の係合孔３１ａ，３１ｂに挿入されて係合する。右側の二つの係合突起２９ｃ，２９ｅは、脚部３１Ａ２の係合孔３１ａ，３１ｂに挿入されて係合する。これにより、図１４に示すような棚部材２５Ａが組み立てられる。棚部材２５Ａは、図１４のように貯蔵室５内に設置した状態で、脚部３１Ａ１の永久磁石３５が鋼板３７の左側の端部３７ａに吸着し、脚部３１Ａ２の永久磁石３５が鋼板３７の右側の端部３７ｂに吸着する。
【００４６】
棚部材２５Ａを図１４のように貯蔵室５内に設置した場合には、棚部材２５Ａを使用しながら、例えば、棚部材２５Ａの左右両側に、２Ｌ入りのペットボトル等の背の高い貯蔵物を立てた状態で収納することができ、小型冷蔵庫として汎用性が高まる。
【００４７】
なお、左右の脚部３１Ａ１，３１Ａ２を左右対称形状とせずに、同一形状の例えば脚部３１Ａ１のみを二つ使用するようにしてもよい。この場合、脚部として、二種使用することなく、一種の脚部３１Ａ１だけで済み、コスト減を図ることができる。また、鋼板３７は後壁３ｅの左右方向の中央に設けているが、後壁３ｅの左右方向の略全長にわたり設けてもよい。この場合、使用者の利用形態に応じて、棚部材２５Ａを貯蔵室５内で左右方向の好みの位置に設置することができ、汎用性が高まる。
【００４８】
[第３の実施形態]
図１６〜図１８に第３の実施形態の棚部材２５Ｂを示す。第３の実施形態は、棚部２９Ｂが左右方向に伸縮自在である。脚部３１は、図１〜図３で使用した脚部３１と同様である。棚部２９Ｂは、第１棚部２９Ｂ１と第２棚部２９Ｂ２とを備えている。第１棚部２９Ｂ１は、左側の端部の基部２９Ｂ１ａから平板形状の板部２９Ｂ１ｂが、水平方向に突出するようにして設けられている。基部２９Ｂ１ａには、下方に向けて突出する係合突起２９ａ，２９ｂが設けられている。係合突起２９ａ，２９ｂは、第１の実施形態と同様に、脚部３１の係合孔３１ａ，３１ｂに挿入されて係合する。
【００４９】
図１６のＡ−Ａ断面図である図１８に示すように、第２棚部２９Ｂ２は、フランジ２９ｆ１，２９ｆ２のそれぞれの下端から互いに接近する方向に突出する係止爪２９Ｂｃを備えている。第２棚部２９Ｂ２は、第１の実施形態の棚部２９におけるような左側のフランジ２９ｆ３を備えていない。このため、第１棚部２９Ｂ１を第２棚部２９Ｂ２のフランジ２９ｆ１，２９ｆ２相互間に挿入することで、第１棚部２９Ｂ１と第２棚部２９Ｂ２とが組み立てられて棚部２９Ｂとなる。このとき、第１棚部２９Ｂ１は、図１８中で左右両側縁部が第２棚部２９Ｂ２の係止爪２９Ｂｃに係止されて下方への抜けが抑制される。
【００５０】
この状態で、第２棚部２９Ｂ２は、図１６、図１７に示すように、第１棚部２９Ｂ１に対して左右方向に伸縮自在であり、左右方向の長さが可変となる。棚部材２５Ｂを、図３における棚部材２５Ｒのようにして使用する際には、第２棚部２９Ｂ２の右側の端部を、冷蔵庫本体３の右棚支持突起２３に載せ、脚部３１の永久磁石３５を鋼板３７に吸着させる。この場合、棚部２９Ｂの伸縮長さに対応できるように、鋼板３７の左右方向の長さ設定する。
【００５１】
なお、棚部が伸縮する構造は、図１４、図１５のような２本の脚部３１Ａ１，３１Ａ２を備える棚部材２５Ａにも適用できる。この場合、図１６〜図１８に示した第２棚部２９Ｂ２の右側の端部に係合突起２９ｃ，２９ｅを設けることで対応できる。
【００５２】
[第４の実施形態]
図１９に第４の実施形態の棚部材２５Ｃ示す。棚部材２５Ｃは、図１〜図３に示した棚部材２５Ｒと基本的に同等であるが、棚部材２５Ｒの永久磁石３５に代わる吸着部として吸盤３９を使用している。この場合、後壁３ｅの内箱９が貯蔵室側吸着部となる。脚部３１に取り付けた吸盤３９を後壁３ｅに吸着させることで、棚部材２５Ｃを貯蔵室５内に設置することができる。棚部２９の右側の端部は、棚部材２５Ｒと同様に右棚支持突起２３に載せる。
【００５３】
吸盤３９を使用する場合には、例えば後壁３ｅの吸盤３９を吸着させる位置周辺のみを平滑面として吸盤３９を吸着できるようにし、それ以外の位置を例えば凹凸部を形成して吸着しないようにしてもよい。これにより使用者は、吸盤３９を吸着させる位置を目視によって明確に把握でき、棚部材２５Ｃを利用しやすいものとなる。吸盤３９を使用する場合においても、棚部材２５Ｃを貯蔵室５内から取り外したときに、後壁３ｅには正面から見て棚部材２５Ｃを支持する突起部等の支持部が設けられていない。したがって、棚部材２５Ｃを貯蔵室５内から取り外した場合の美観が向上する。
【００５４】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５５】
例えば、上記した実施形態では、永久磁石３５を棚部材２５（２５Ｒ，２５Ｌ），２５Ａ，２５Ｂに設け、鋼板３７を冷蔵庫本体３の後壁３ｅに設けているが、これとは逆の取付け形態としてもよい。すなわち、永久磁石３５を後壁３ｅに設け、鋼板３７を棚部材２５（２５Ｒ，２５Ｌ），２５Ａ，２５Ｂの脚部３１，３１Ａ１，３１Ａ２に設けてもよい。吸盤３９についても後壁３ｅに設けてもよい。鋼板３７は、後壁３ｅの貯蔵室５側の表面に直接取り付けてもよい。
【００５６】
上記した実施形態では、ホテルや病院などの部屋に設置される小型の冷蔵庫を例にして説明したが、一般に家庭で使用される通常の冷蔵庫にも本発明を適用できる。
【符号の説明】
【００５７】
３  冷蔵庫本体
３ｅ  後壁（貯蔵室側吸着部）
５  貯蔵室
１９  圧縮機
２５（２５Ｒ，２５Ｌ），２５Ａ，２５Ｂ，２５Ｃ  棚部材
３５  永久磁石（吸着部）
３７  鋼板（貯蔵室側吸着部）
３９  吸盤（吸着部）
【図１】
2020112307.tif 000003
【図２】
2020112307.tif 000004
【図３】
2020112307.tif 000005
【図４】
2020112307.tif 000006
【図５】
2020112307.tif 000007
【図６】
2020112307.tif 000008
【図７】
2020112307.tif 000009
【図８】
2020112307.tif 000010
【図９】
2020112307.tif 000011
【図１０】
2020112307.tif 000012
【図１１】
2020112307.tif 000013
【図１２】
2020112307.tif 000014
【図１３】
2020112307.tif 000015
【図１４】
2020112307.tif 000016
【図１５】
2020112307.tif 000017
【図１６】
2020112307.tif 000018
【図１７】
2020112307.tif 000019
【図１８】
2020112307.tif 000020
【図１９】
2020112307.tif 000021